(57)【要約】【課題】組立てが容易で強固な構造を有するシステム組立棚を提供する。【解決手段】システム組立棚は、２つのサイドラック１と、少なくとも１つの連結ラック２と、複数の接合板３と、複数の遮蔽飾板４と、複数の収納棚５とを備える。サイドラック１は、複数の横杆１１を有する。連結ラック２は、複数の連結横杆２１を有するとともに、２つのサイドラック１間に架設される。接合板３は、複数の貫通穴３１を有する。貫通穴３１には、位置決め部材３２が挿設される。位置決め部材３２には、固定部材３３が対応して螺合される。位置決め部材３２及び固定部材３３は、サイドラック１の横杆１１に対応するか、連結ラック２の連結横杆２１に結合される。接合板３は、端面に穿孔が形成され、底部にフック部が設けられる。【選択図】図１
0003211554.tif 000002
【実用新案登録請求の範囲】
【請求項１】
２つのサイドラックと、少なくとも１つの連結ラックと、複数の接合板と、複数の遮蔽飾板と、複数の収納棚とを備えたシステム組立棚であって、
前記サイドラックは、複数の横杆を有し、
前記連結ラックは、複数の連結横杆を有するとともに、２つの前記サイドラック間に架設され、
前記接合板は、複数の貫通穴を有し、前記貫通穴には、位置決め部材が挿設され、前記位置決め部材には、固定部材が対応して螺合され、前記位置決め部材及び前記固定部材は、前記サイドラックの前記横杆に対応するか、前記連結ラックの前記連結横杆に結合され、前記接合板は、端面に穿孔が形成され、底部にフック部が設けられ、
前記遮蔽飾板は、前記サイドラックの外側を覆うとともに、前記遮蔽飾板上には、突条体が設けられ、前記突条体には、前記接合板の端面の前記穿孔に対応するようにねじ穴が形成され、前記穿孔には、螺着部材が対応して螺合され、前記ねじ穴を介して前記遮蔽飾板が前記接合板に螺着され、
前記収納棚は、前記接合板の前記フック部に対応して係合し、位置決めされることを特徴とする、
システム組立棚。
【請求項２】
前記接合板には、前記横杆に対応した箇所に凹槽が形成され、前記凹槽には、前記横杆が収容されることを特徴とする請求項１に記載のシステム組立棚。
【請求項３】
前記接合板には、前記連結横杆に対応した箇所に凹槽が形成され、前記凹槽には、前記連結横杆が収容されることを特徴とする請求項１に記載のシステム組立棚。
【考案の詳細な説明】
【技術分野】
【０００１】
本考案は、システム組立棚に関し、特に、組立てが容易で強固な構造を有するシステム組立棚に関する。
【背景技術】
【０００２】
一般に自宅内又は事務所内では、様々な物、書類を収容したり保管したりするために、各種整理箱、キャビネットなどが購入されて使用されている。特に物、書類などを分類して収納し易いように、引き出し式の多層収納棚が購入されて使用されることが一般的である。
【０００３】
本考案者は、既に「収納棚のクイック組立・位置決め装置」（特許文献１）を台湾特許庁に出願し、実用新案登録されている。
この特許文献１の「収納棚のクイック組立・位置決め装置」は、支持ラック、側板及び組立ユニットを備え、前記支持ラックは、複数の横杆を有し、前記側板は、前記支持ラックに結合されるとともに、前記支持ラックの前記横杆に対応する貫通孔を有し、前記組立ユニットは、位置決め片を有し、前記位置決め片は、前記側板の外側に対応するように固設されるとともに、前記側板の前記貫通孔に対応して外方へプレス成形された位置決め部を有し、前記位置決め部には、位置決め孔が形成され、前記位置決め片の上端縁が下方へ折り曲げられて上結合部が形成され、前記位置決め片に対応した前記位置決め部には、可動片が配設され、前記可動片の中央部には、前記位置決め部の前記位置決め孔に対応した長孔が形成され、前記可動片の両側には、外方へ延びるように翼部が突設され、前記翼部は、前記位置決め部の両側に挿設され、前記翼部の上端縁には、前記上結合部に対応するように下結合部が凹設され、前記可動片の前記長孔と、前記位置決め片の前記位置決め孔とに位置決め部材が挿設されて前記可動片と前記位置決め部とが結合固定され、前記可動片は、前記長孔を介して前記位置決め部に対して上下移動可能であり、前記上結合部と前記下結合部との間に横杆が強固に挟まれ、外れることを防ぐことを特徴とする。
【０００４】
特許文献１は、全体の組立結合過程が簡素で、組立てにかかる時間を短縮し、速やかに結合固定することができ、物が多すぎて収納して保管することが困難な場合、多数の収納棚を組み合わせる必要があったが、揃えて配置することができず、邪魔となったり空間が無駄となった。こうした現状に鑑み、本考案者は鋭意研究を重ねた結果、本考案を完成したものである。
【先行技術文献】
【特許文献】
【０００５】
【特許文献１】台湾実用新案公告第Ｍ５３３４４９号公報
【考案の概要】
【考案が解決しようとする課題】
【０００６】
本考案の目的は、組立てが容易で強固な構造を有するシステム組立棚を提供することにある。
【課題を解決するための手段】
【０００７】
上記課題を解決するために、本考案の第１の形態によれば、２つのサイドラックと、少なくとも１つの連結ラックと、複数の接合板と、複数の遮蔽飾板と、複数の収納棚とを備えたシステム組立棚であって、前記サイドラックは、複数の横杆を有し、前記連結ラックは、複数の連結横杆を有するとともに、２つの前記サイドラック間に架設され、前記接合板は、複数の貫通穴を有し、前記貫通穴には、位置決め部材が挿設され、前記位置決め部材には、固定部材が対応して螺合され、前記位置決め部材及び前記固定部材は、前記サイドラックの前記横杆に対応するか、前記連結ラックの前記連結横杆に結合され、前記接合板は、端面に穿孔が形成され、底部にフック部が設けられ、前記遮蔽飾板は、前記サイドラックの外側を覆うとともに、前記遮蔽飾板上には、突条体が設けられ、前記突条体には、前記接合板の端面の前記穿孔に対応するようにねじ穴が形成され、前記穿孔には、螺着部材が対応して螺合され、前記ねじ穴を介して前記遮蔽飾板が前記接合板に螺着され、前記収納棚は、前記接合板の前記フック部に対応して係合し、位置決めされることを特徴とするシステム組立棚を提供する。
【０００８】
前記接合板には、前記横杆に対応した箇所に凹槽が形成され、前記凹槽には、前記横杆が収容されることが好ましい。
【０００９】
前記接合板には、前記連結横杆に対応した箇所に凹槽が形成され、前記凹槽には、前記連結横杆が収容されることが好ましい。
【考案の効果】
【００１０】
本考案のシステム組立棚は、組立てが容易で強固な構造を有する。
【図面の簡単な説明】
【００１１】
【図１】本考案の一実施形態に係るシステム組立棚を示す分解斜視図（１）である。
【図２】本考案の一実施形態に係るシステム組立棚を示す分解斜視図（２）である。
【図３】本考案の一実施形態に係るシステム組立棚を示す分解斜視図（３）である。
【図４】本考案の一実施形態に係るシステム組立棚を示す組立断面図である。
【図５】本考案の一実施形態に係るシステム組立棚を示す部分断面図である。
【考案を実施するための形態】
【００１２】
本考案の技術手段及びそれにより達成可能な効果を、より完全かつ明白に開示するために、開示した添付の図面及び符号と併せて本考案を以下詳説する。
【００１３】
まず、図１〜図５を参照する。図１〜図５に示すように、本考案の一実施形態に係るシステム組立棚は、少なくとも２つのサイドラック１と、少なくとも１つの連結ラック２と、複数の接合板３と、複数の遮蔽飾板４と、複数の収納棚５と、から構成されてなる。
【００１４】
サイドラック１は、複数の横杆１１を有する。
【００１５】
連結ラック２は、複数の連結横杆２１を有するとともに、２つのサイドラック１間に架設される。
【００１６】
接合板３は、複数の貫通穴３１を有する。前述した貫通穴３１には、位置決め部材３２が挿設される。前述した位置決め部材３２には、固定部材３３が対応して螺合される。前述した位置決め部材３２及び前述した固定部材３３は、前述したサイドラック１の横杆１１に対応するか、前述した連結ラック２の連結横杆２１に結合する。前述した接合板３の底部には、フック部３４が設けられる。
【００１７】
遮蔽飾板４は、サイドラック１の外側を覆うとともに、前述した接合板３に対応して螺着される。
【００１８】
収納棚５は、前述した接合板３のフック部３４に対応して係合し、位置決めされる。
【００１９】
図１〜図５に示すように、実際に組み立てて使用する際、サイドラック１と連結ラック２とが同じ部材であるが、組立位置が相違する点が異なる（組み立てるとき兼用することができる）。
サイドラック１は、主に２つの外側辺に取り付けられる。連結ラック２は、連結するために用いられる。実際に組み立てる際、サイドラック１の横杆１１と連結ラック２の連結横杆２１とを接合板３に対応してそれぞれ取り付け、接合板３の位置決め部材３２を横杆１１又は連結横杆２１に対応して掛設してから、固定部材３３を貫通穴３１に挿設する。固定部材３３は、位置決め部材３２に対応し、横杆１１又は連結横杆２１を覆ってから（特許文献１で示したように）螺着部材６を螺合すると、接合板３がサイドラック１及び連結ラック２に強固に結合される。
【００２０】
その後、必要なシステム組立棚の長さに応じて、２つのサイドラック１間の連結ラック２の数を調整して組み合わせる。例えば、２組の多層収納棚５が必要な場合、１つの連結ラック２を組み合わせる。３組の多層収納棚５が必要な場合、２つの連結ラック２を組み合わせ、同様のステップを繰り返して組立てを完成させる。続いて、収納棚５を２組の接合板３間に対応して設置し、フック部３４を利用して収納棚５に係合して位置決めする。
続いて、遮蔽飾板４上に突条体４１を設ける。突条体４１の端面には、ねじ穴４２が形成されている。接合板３には、突条体４１のねじ穴４２に対応するように穿孔３５が形成されている。穿孔３５には、螺着部材６が対応して螺合され、ねじ穴４２に螺着され、遮蔽飾板４が接合板３に結合され、遮蔽飾板４がサイドラック１の外側に位置するため見た目が良い。
【００２１】
接合板３には、前述した横杆１１又は前述した連結横杆２１に対応した箇所に凹槽３６が形成される。前述した凹槽３６には、前述した横杆１１又は前述した連結横杆２１が収容され、接合板３によりサイドラック１又は連結ラック２との結合がより強固になる。
【００２２】
上述したことから分かるように、本考案のシステム組立棚は、従来技術と比べて以下（１）〜（３）の長所を有する。
（１）全体の組立て結合過程が容易で便利であり、組立てにかかる時間を短縮して速やかに結合固定することができるため、実用性に優れている。
（２）遮蔽飾板が設置されているため、システム棚全体の見栄えが良い。
（３）連結ラックが設置されているため、必要に応じて複数組の収納棚を組み合わせて、消費者のニーズを満たすことができる。
【符号の説明】
【００２３】
１    サイドラック
２    連結ラック
３    接合板
４    遮蔽飾板
５    収納棚
６    螺着部材
１１  横杆
２１  連結横杆
３１  貫通穴
３２  位置決め部材
３３  固定部材
３４  フック部
３５  穿孔
３６  凹槽
４１  突条体
４２  ねじ穴
【図１】
0003211554.tif 000003
【図２】
0003211554.tif 000004
【図３】
0003211554.tif 000005
【図４】
0003211554.tif 000006
【図５】
0003211554.tif 000007